(57)【要約】【課題】ＶＣＭコイルの温度上昇を抑制し、磁気ヘッドの位置決め精度の低下を抑制することができる。【解決手段】磁気ディスク装置１は、回転する磁気ディスク２５０に対する情報の記録または再生を行うヘッドの移動を制御するＶＣＭコイル２２０と、ＶＣＭコイル２２０の温度があらかじめ定められた制限値を超えたとき、磁気ディスク２５０の回転によって生じた気流をＶＣＭコイル２２０に向けて案内する気流案内部２６０と、を備える。【選択図】        図１
2010040084.tif 000002
【特許請求の範囲】
【請求項１】
回転する記録媒体に対する情報の記録または再生を行うヘッドの移動を制御する制御部と、
前記制御部の温度があらかじめ定められた制限値を超えたとき、前記記録媒体の回転によって生じた気流を前記制御部に向けて案内する気流案内部と、
を備えることを特徴とする記録媒体駆動装置。
【請求項２】
回転によって気流を生じさせて情報を記録する記録媒体よりも前記気流の下流側に配設され、前記記録媒体に対する情報の記録または再生を行うヘッドに駆動力を与える駆動コイルと、
前記駆動コイルに向かう気流を遮断する板状部と、
前記駆動コイルの温度があらかじめ定められた制限値を超えたとき、前記駆動コイルに向かう気流を遮断しない位置に前記板状部を誘導する誘導部と、を備えることを特徴とする記録媒体駆動装置。
【請求項３】
前記誘導部は、
前記駆動コイルの温度を監視する温度監視部と、
前記板状部を挟んで前記駆動コイルの反対側に配置されたコイルと、
前記温度監視部によって監視された温度があらかじめ定められた制限値を超えているとき、
前記コイルに電流を印加する電流印加部と、
前記電流印加部によって前記コイルに電流が印加されたとき、前記板状部を前記コイルの方向に回転させる回転部と、
を含むことを特徴とする請求項２に記載の記録媒体駆動装置。
【請求項４】
前記誘導部は、
前記駆動コイルの温度があらかじめ定められた制限値を超え、且つ、前記ヘッドが前記記録媒体に対して情報を記録していないとき、前記駆動コイルに向かう気流を遮断しない位置に前記板状部を誘導することを特徴とする請求項２に記載の記録媒体駆動装置。
【請求項５】
前記誘導部は、
第１の金属板と、
前記第１の金属板よりも熱膨張率が高い金属板であって前記第１の金属板よりも前記駆動コイル側に前記第１の金属板と対向するように貼り付けられた第２の金属板と、を含み、
前記板状部は、
一端が第１の金属板または第２の金属板の端部に連結することを特徴とする請求項２に記載の記録媒体駆動装置。
【発明の詳細な説明】
【技術分野】
【０００１】
本発明は、ＶＣＭコイルの温度上昇を抑制し、磁気ヘッドの位置決め精度の低下を抑制することができる記録媒体駆動装置に関する。
【背景技術】
【０００２】
近年、磁気ディスク装置における記録容量の拡大にともなって、磁気ヘッドによる記録媒体に対する記録密度が向上している。そのため、記録媒体へデータを書き込む際、磁気ヘッドの位置決め精度を向上させることが重要になっている。
【０００３】
ここで、磁気ディスク上のトラックに対する磁気ヘッドの位置決めは、ボイスコイルモータ（ＶＣＭ：Voice Coil Motor）が一般的に用いられる。ＶＣＭは、電磁コイル（以下、「ＶＣＭコイル」という。）を備え、ＶＣＭコイルを用いて旋回アームを制御して、旋回アームの先端にある磁気ヘッドをトラックの目標位置に移動させる。
【０００４】
この磁気ヘッドの移動が連続すると、ＶＣＭコイルは、材料のワイヤを伝わる電気信号によって加熱され、耐熱温度を超えてコイルとしての形状を維持できなくなり、機能不全となる可能性があることが知られている。
【０００５】
そこで、例えば、ＶＣＭコイルに向けて気流を通す部品を設けることによって、磁気ディスクの回転に伴って発生する気流をＶＣＭコイルに送り、ＶＣＭコイルを冷却する技術が開示されている。
【０００６】
ところで、ＶＣＭコイルを用いて磁気ヘッドを移動させる際にＶＣＭコイルに風が当たるようにすると、トラックの目標位置に磁気ヘッドを位置付ける精度が低下することが知られている。
【０００７】
そこで、例えば、磁気ディスクを覆うハウジングの外壁に沿って通気路を設けることによって、磁気ディスクの回転に伴ってディスク表面に発生する気流を通気路に流して、ＶＣＭコイルに風が当たらないようにする磁気ディスク装置の構造が開示されている。
【０００８】
【特許文献１】特開２０００−１５６０６８号公報
【特許文献２】特開平１１−１１０９６０号公報
【発明の開示】
【発明が解決しようとする課題】
【０００９】
しかしながら、磁気ディスク装置がＶＣＭコイルに風を当たらないようにすると、温度上昇により機能不全となる問題がある。
【００１０】
このため、ＶＣＭコイルの温度が上昇しないようにＶＣＭコイルに風を当てて冷却する従来の技術では、磁気ディスクの回転に伴って発生する気流を常時ＶＣＭコイルに送っているため、ＶＣＭコイルを冷却する必要がないときであっても、送られた気流によってＶＣＭコイルが揺れることとなり、磁気ヘッドの位置決め精度が低下するおそれがある。特に、磁気ディスクの回転速度を高い設定にした場合は気流の速度が速くなるため、ＶＣＭコイルの揺れが大きくなり、磁気ヘッドの位置決め精度がさらに低下する。また、磁気ディスク装置を小型にした場合はＶＣＭコイルの揺れが相対的に大きくなるため、磁気ヘッドの位置決め精度が顕著に低下するおそれがある。
【００１１】
本発明は、上記に鑑みてなされたものであって、ＶＣＭコイルの温度上昇を抑制し、磁気ヘッドの位置決め精度の低下を抑制することができる記録媒体駆動装置を提供することを目的とする。
【課題を解決するための手段】
【００１２】
上述した問題を解決し、目的を達成するために、記録媒体駆動装置は、回転する記録媒体に対する情報の記録または再生を行うヘッドの移動を制御する制御部と、前記制御部の温度があらかじめ定められた制限値を超えたとき、前記記録媒体の回転によって生じた気流を前記制御部に向けて案内する気流案内部と、を備えた構成を採る。
【００１３】
かかる構成によれば、記録媒体駆動装置は、制御部の温度があらかじめ定められた制限値を超えたとき、案内された気流を利用して制御部の温度を下げることができるため、制御部を必要に応じて冷却することができる。その結果、記録媒体駆動装置は、制御部の温度上昇による機能不全に陥ることを防ぐことができる。また、記録媒体駆動装置は、制御部の温度があらかじめ定められた制限値を超えていないときは、制御部へ向かう気流を遮断することにより、制御部の揺動を防止することができ、全体的に磁気ヘッドの位置決め精度を上げることができる。
【発明の効果】
【００１４】
開示の装置によれば、ＶＣＭコイルの温度上昇を抑制し、磁気ヘッドの位置決め精度の低下を抑制することができるという効果を奏する。
【発明を実施するための最良の形態】
【００１５】
以下に、本発明に係る記録媒体駆動装置を備えた磁気ディスク装置の実施例を図面に基づいて詳細に説明する。なお、本実施例によりこの発明が限定されるものではない。
【実施例１】
【００１６】
図１は、実施例に係る磁気ディスク装置の全体構成を示す機能ブロック図である。同図に示すように、磁気ディスク装置１は、ホストコンピュータ２と接続され、制御部１００と、ディスクエンクロージャ部２００と、を備える。
【００１７】
制御部１００は、後述する気流案内部２６０を制御する制御装置である。制御部１００は、ヘッド制御部１１０と、温度監視部１２０と、気流遮断指示部１３０と、気流案内指示部１４０と、読み書き判定部１５０と、を備える。
【００１８】
ヘッド制御部１１０は、ホストコンピュータ２からデータの書き込み要求または読み込み要求を受信したとき、磁気ディスク２５０に対してデータの読み書きを行うヘッド２４０の位置決めを制御する。このとき、ヘッド制御部１１０は、読み書き判定部１５０に対して書き込み要求があったことを示す書き込み信号または読み込み要求があったことを示す読み込み信号を出力する。
【００１９】
温度監視部１２０は、温度検知部２１０によって検知されるＶＣＭコイル２２０の温度を監視する。温度監視部１２０は、ＶＣＭコイル２２０の温度がＶＣＭコイル２２０の動作を保障する限界温度を超えたときは、気流案内指示部１４０に対して限界温度を超えたことを知らせる信号を出力する。また、温度監視部１２０は、ＶＣＭコイル２２０の温度が限界温度を下回ったときは、気流遮断指示部１３０に対して限界温度を下回ったことを知らせる信号を出力する。
【００２０】
気流遮断指示部１３０は、温度監視部１２０からＶＣＭコイル２２０の温度が限界温度を下回ったことを知らせる信号を取得すると、気流案内部２６０に対してＶＣＭコイル２２０に向かう気流を遮断するように指示するために、気流案内部２６０に対して電流の印加を停止する。また、気流遮断指示部１３０は、読み書き判定部１５０から書き込み信号を取得すると、気流案内部２６０に対してＶＣＭコイル２２０に向かう気流を遮断するように指示するために、気流案内部２６０に対して電流の印加を停止する。
【００２１】
気流案内指示部１４０は、温度監視部１２０からＶＣＭコイル２２０の温度が限界温度を超えたことを知らせる信号を取得すると、気流案内部２６０に対してＶＣＭコイル２２０に向けて気流を案内するように指示するために、気流案内部２６０に対して電流を印加する。
【００２２】
読み書き判定部１５０は、ヘッド制御部１１０から書き込み信号または読み込み信号を取得すると、取得した信号が書き込み信号であるか否かを判定する。そして、読み書き判定部１５０は、取得した信号が書き込み信号であると判定したとき、気流遮断指示部１３０に対して書き込み信号を出力する。
【００２３】
ディスクエンクロージャ部２００は、温度検知部２１０と、ＶＣＭコイル２２０と、アクチュエータ２３０と、ヘッド２４０と、磁気ディスク２５０と、気流案内部２６０と、を備える。
【００２４】
温度検知部２１０は、ＶＣＭコイル２２０の温度を検知して、温度監視部１２０に対して検知した温度情報を出力する。例えば、温度検知部２１０は、温度測定センサを備え、ＶＣＭコイル２２０の近傍に設置されることによって、ＶＣＭコイル２２０の温度を検知する。また、温度検知部２１０は、例えば抵抗法を利用して、ＶＣＭコイル２２０に電流を印加したときの抵抗値をモニターすることによって、ＶＣＭコイル２２０の温度を推定しても良い。
【００２５】
ＶＣＭコイル２２０は、ヘッド制御部１１０から読み込み信号または書き込み信号を取得すると、それぞれの信号に基づいて、アクチュエータ２３０を揺動させて、磁気ディスク２５０に対してデータの読み書きを行うヘッド２４０の位置決めを行う。具体的には、ＶＣＭコイル２２０は、ＶＣＭコイル２２０を挟んで対向する磁石（図示せず）によって発生する磁界の中で、通電されることにより、アクチュエータ２３０を揺動させ、アクチュエータ２３０の先端に取り付けられたヘッド２４０の位置を決定する。このようにして、ＶＣＭコイル２２０は、通電されることによってヘッド２４０の位置決めを行うため、例えば長時間ＶＣＭコイル２２０に通電が行われたとき等、温度が上昇し限界温度を超える場合がある。
【００２６】
アクチュエータ２３０は、ＶＣＭコイル２２０の制御にしたがって揺動し、ヘッド２４０を移動させる。
【００２７】
ヘッド２４０は、アクチュエータ２３０の揺動にしたがって、磁気ディスク２３０の読み書き位置まで移動（シーク）して、移動した位置にデータを読み書きする。
【００２８】
磁気ディスク２５０は、データを磁気的に記録する円盤状の媒体である。磁気ディスク２５０は、ヘッド２４０によってデータの読み書きが行われる際に、円周方向に回転する。この磁気ディスク２５０の回転によって気流が生じ、その気流は後述する気流案内部２６０によって利用される。
【００２９】
気流案内部２６０は、ＶＣＭコイル２２０が限界温度を超えたとき、磁気ディスク２５０の回転によって生じる気流をＶＣＭコイル２２０に向けて案内し、ＶＣＭコイル２２０が限界温度を下回ったとき、磁気ディスク２５０の回転によって生じる気流をＶＣＭコイル２２０に向かわないように遮断する。具体的には、気流案内部２６０は、気流案内指示部１４０によって電流が印加されたとき、磁気ディスク２５０の回転によって生じた気流をＶＣＭコイル２２０に向かうように案内する。これにより、気流案内部２６０は、磁気ディスク２５０の回転によって生じる気流を利用して、限界温度を超えたＶＣＭコイル２２０を冷却することができる。また、気流案内部２６０は、気流遮断指示部１３０によって電流の印加が停止されたとき、磁気ディスク２５０の回転によって生じた気流をＶＣＭコイル２２０に向かわないように遮断する。これにより、気流案内部２６０は、磁気ディスク２５０の回転によって生じる気流をＶＣＭコイル２２０に直接当てないため、ＶＣＭコイル２２０が揺れず、結果的にヘッド２４０も揺れないこととなり、ヘッド２４０の磁気ディスク２５０への位置決め精度を上げることができる。このＶＣＭコイル２２０に向かう気流を遮断する状態を気流案内部２６０の通常状態とする。なお、気流案内部２６０の具体的構成については、後に詳述する。
【００３０】
次に、図２を用いて、本実施例１に係る気流案内部２６０の詳細な構成について説明する。なお、図２において、図１と同じ部分には同じ符号を付し、詳しい説明を省略する。また、同図に示す気流案内部２６０は、ＶＣＭコイル２２０に向かう気流を遮断する状態（通常状態）を示している。
【００３１】
同図に示すように、気流案内部２６０は、ラッチ板２６１と、バネ２６２と、コイル２６３と、ネジ２６４と、を備えた電磁ラッチから構成されている。また、ラッチ板２６１は、板状部２６１ａと、回転部２６１ｂと、を備えている。
【００３２】
ラッチ板２６１の板状部２６１ａは、磁気ディスク２５０の回転によって生じる気流１０の磁気ディスク２５０より下流側に配設されたＶＣＭコイル２２０に向けて気流１０を案内、または、ＶＣＭコイル２２０に気流１０を直接向かわないように気流１０を遮断する。例えば、ＶＣＭコイル２２０に気流１０を遮断するために、板状部２６１ａは、ＶＣＭコイル２２０が配設された位置への気流１０を遮断するために先端部が湾曲している。また、板状部２６１ａの他方の端部は、回転部２６１ｂに繋がっている。さらに、板状部２６１ａは、中心近傍に接合されたバネ２６２によってＶＣＭコイル２２０の方向に引っ張られている。
【００３３】
ラッチ板２６１の回転部２６１ｂは、板状部２６１ａを回転させる。回転部２６１ｂは、ネジ２６２によって回転可能に支持され、ネジ２６２を支点にして板状部２６１ａを回転させる。
【００３４】
バネ２６２は、板状部２６１ａをＶＣＭコイル２２０に接近する方向に移動させる。すなわち、バネ２６２は、ラッチ板２６１をＶＣＭコイル２２０に向かう気流１０を遮断する位置に移動させ、弾力のかからない自然の状態のとき板状部２６１ａの位置を保持させる。
【００３５】
コイル２６３は、ラッチ板２６１を挟んでバネ２６２と反対側に配置され、板状部２６１ａをＶＣＭコイル２２０から離間する方向に移動させる。すなわち、コイル２６３に電流が印加されると、コイル２６３によって発生した磁界が板状部２６１ａを引き付けて、板状部２６１ａは、回転部２６１ｂの回転に伴って、ＶＣＭコイル２２０から離間する方向に移動する。このとき、コイル２６３は、板状部２６１ａをバネ２６２の弾力より大きい力で引き付ける。この結果、板状部２６１ａは、ＶＣＭコイル２２０に向けて気流１０を案内する。なお、コイル２６３に電流が印加されないと、磁界が消失するため、板状部２６１ａは、バネ２６３の弾力によって、回転部２６１ｂの回転に伴って、移動することになる。この結果、板状部２６１ａは、ＶＣＭコイル２２０に向かう気流１０を遮断する。
【００３６】
次に、図３を参照して、気流案内部２６０がＶＣＭコイル２２０に向かう気流を案内する動作について説明する。なお、図３において、図２と同じ部分には同じ符号を付し、重複する説明を省略する。
【００３７】
まず、気流案内部２６０のラッチ板２６１は、ＶＣＭコイル２２０の温度が限界温度を下回っているときは、ＶＣＭコイル２２０に向かう気流を遮断する位置に保持される。そして、ＶＣＭコイル２２０の温度が上昇し限界温度を超えたとき、温度検知部２１０は、ＶＣＭコイル２２０の温度を検知して、温度監視部１２０に対して出力する。さらに、温度検知部２１０によって検知されたＶＣＭコイル２２０の温度を取得した温度監視部１２０は、気流案内指示部１４０に対して限界温度を超えたことを知らせる信号を出力する。限界温度を超えたことを知らせる信号を取得した気流案内指示部１４０は、コイル２６３に電流を印加する。
【００３８】
すると、電流を印加されたコイル２６３は、磁界を発生させ、板状部２６１ａを引き付ける。そして、板状部２６１ａは、回転部２６１ｂの回転に伴って、ＶＣＭコイル２２０から離間する方向に移動する。これにより、板状部２６１ａは、ＶＣＭコイル２２０に向けて気流１１を案内する位置に保持され、ＶＣＭコイル２２０に向けて気流１１を案内する。その結果、案内された気流１１が、ＶＣＭコイル２２０を冷却することとなる。
【００３９】
このようにして、気流案内部２６０は、磁気ディスク２５０の回転によって生じる気流１１を利用して、限界温度を超えたＶＣＭコイル２２０を冷却することができる。
【００４０】
次に、本実施例１に係る磁気ディスク装置の処理を、図４を参照して説明する。図４は、本実施例１に係る磁気ディスク装置の処理を示すフローチャートである。
【００４１】
まず、温度検知部２１０は、ＶＣＭコイル２２０の温度を検知する（Ｓ１１０）。そして、温度検知部２１０は、検知されたＶＣＭコイル２２０の温度情報を温度監視部１２０に対して出力する。
【００４２】
すると、温度監視部１２０は、温度検知部２１０によって出力された温度情報が表す温度がＶＣＭコイル２２０の動作を保障する限界温度を超えるか否かを判定する（Ｓ１２０）。
【００４３】
温度検知部２１０によって取得された温度情報が表す温度が限界温度を超える場合には（Ｓ１２０Ｙｅｓ）、限界温度を超えたことを知らせる信号を気流案内指示部１４０に対して出力する。
【００４４】
そして、気流案内指示部１４０は、ＶＣＭコイル２２０に向けて気流を案内するために、コイル２６３に電流を印加する（Ｓ１３０）。
【００４５】
すると、ラッチ板２６１は、電流を印加されたコイル２６３に引き付けられて、ＶＣＭコイル２２０から離間する方向に回転する（Ｓ１４０）。これにより、ラッチ板２６１は、磁気ディスク２５０の回転によって生じた気流をＶＣＭコイル２２０に案内し、ＶＣＭコイル２２０を冷却することができる。
【００４６】
一方、温度検知部２１０によって出力された温度情報が表す温度が限界温度を下回った場合には（Ｓ１２０Ｎｏ）、限界温度を下回ったことを知らせる信号を気流遮断指示部１３０に対して出力する。
【００４７】
そして、気流遮断指示部１３０は、ＶＣＭコイル２２０に向かう気流を遮断するために、コイル２６３に対して電流の印加を停止する（Ｓ１５０）。
【００４８】
すると、ラッチ板２６１は、バネ２６３の弾力によって移動する（Ｓ１６０）。これにより、ラッチ板２６１は、磁気ディスク２５０の回転によって生じた気流をＶＣＭコイル２２０に向かわないように遮断し、気流によるＶＣＭコイル２２０の揺れを防ぐことができ、ヘッド２４０の磁気ディスク２５０への位置決め精度を上げることができる。
【００４９】
ところで、上記の気流案内部２６０は、ＶＣＭコイル２２０の温度が限界温度を超えているとき、ＶＣＭコイル２２０に向けて気流を案内する状態になる場合を説明したが、本発明はこれに限定されるものではなく、ＶＣＭコイル２２０の温度が限界温度を超えていてもデータの書き込み精度を上げるためにデータの書き込みを行うときは、ＶＣＭコイル２２０に向かう気流を遮断する状態（通常状態）にしても良い。
【００５０】
そこで、図５では、ＶＣＭコイル２２０の温度が限界温度を超えていてもデータの書き込みを行っているときは、ＶＣＭコイル２２０に向かう気流を遮断する状態にする磁気ディスク装置の処理を説明する。
【００５１】
まず、ヘッド制御部１１０は、ホストコンピュータ２からデータの読み込み要求または書き込み要求を取得すると、データの読み込み要求または書き込み要求を読み書き判定部１５０に対して出力する（Ｓ２１０）。
【００５２】
すると、読み書き判定部１５０は、ヘッド制御部１１０からデータの読み込み要求または書き込み要求を取得すると、取得された要求が書き込み要求か否かを判定する（Ｓ２２０）。
【００５３】
読み書き判定部１５０によって取得された要求が書き込み要求である場合には（Ｓ２２０Ｙｅｓ）、読み書き判定部１５０は、温度監視部１２０によって監視された温度が限界温度を超えているか否かを判定する（Ｓ２３０）。
【００５４】
温度監視部１２０によって監視された温度が限界温度を超えている場合には（Ｓ２３０Ｙｅｓ）、書き込み信号を気流遮断指示部１３０に対して出力する。
【００５５】
そして、気流遮断指示部１３０は、気流案内部２６０に対して、ＶＣＭコイル２２０に向かう気流を遮断するために、コイル２６３に電流の印加を停止する（Ｓ２４０）。
【００５６】
すると、ラッチ板２６１は、バネ２６２の弾力によって、バネ２６２のロック位置に移動する（Ｓ２５０）。これにより、ラッチ板２６１は、磁気ディスク２５０の回転によって生じた気流をＶＣＭコイル２２０に向かわないように遮断し、気流によるＶＣＭコイル２２０の揺れを防ぐことができ、ヘッド２４０の磁気ディスク２５０への位置決め精度を上げることができる。
【００５７】
一方、読み書き判定部１５０によって取得された要求が書き込み要求でない場合（Ｓ２２０Ｎｏ）、または、温度監視部１２０によって監視された温度が限界温度を超えていない場合には（Ｓ２３０Ｎｏ）、処理を終了する。
【００５８】
このようにして、磁気ディスク装置１は、ＶＣＭコイル２２０の温度が限界温度を超えていてもデータの書き込みを行っているときは、ＶＣＭコイル２２０に向かう気流を遮断する状態（通常状態）にすることによって、ヘッド２４０の磁気ディスク２５０への位置決め精度を上げることができる。なお、ヘッド２４０が書き込みをおこなっているときは、ヘッド２４０は停止中でありＶＣＭコイル２２０に通電されていないため、ＶＣＭコイル２２０の温度が徐々に低下することとなり、気流案内部２６０によって冷却されていなくても問題はない。
【００５９】
なお、気流案内部２６０は、ＶＣＭコイル２２０に向けて気流を案内するためにラッチ板２６１を回転する構成としているが、これに限定されず、シャッターを開閉する構成としても良い。
【００６０】
以上のように本実施例１によれば、磁気ディスク装置１は、回転する磁気ディスク２５０に対する情報の記録または再生を行うヘッド２４０の移動を制御するＶＣＭコイル２２０と、ＶＣＭコイル２２０の温度があらかじめ定められた限界温度を超えたとき、磁気ディスク２５０の回転によって生じた気流をＶＣＭコイル２２０に向けて案内する気流案内部２６０と、を備える。
【００６１】
かかる構成によれば、磁気ディスク装置１は、ＶＣＭコイル２２０の温度があらかじめ定められた限界温度を超えたとき、案内された気流を利用してＶＣＭコイル２２０の温度を下げることができるため、ＶＣＭコイル２２０を必要に応じて冷却することができる。その結果、磁気ディスク装置１は、ＶＣＭコイル２２０の温度上昇による機能不全に陥ることを防ぐことができる。また、磁気ディスク装置１は、ＶＣＭコイル２２０の温度があらかじめ定められた限界温度を超えていないとき、ＶＣＭコイル２２０へ向かう気流を遮断することにより、ＶＣＭコイル２２０の振動を防止することができ、全体的にヘッド２４０の位置決め精度を上げることができる。
【実施例２】
【００６２】
上記の実施例１では、ＶＣＭコイル２２０の温度があらかじめ定められた限界温度を超えたとき、ＶＣＭコイル２２０に向けて気流を案内するために気流案内部２６０が制御部１００によって制御される場合を説明した。本発明はこれに限定されるものではなく、ＶＣＭコイル２２０の温度が限界温度を超えたとき、ＶＣＭコイル２２０に向けて気流を案内するために気流案内部２６０が制御部１００によって制御されない場合であっても良い。
【００６３】
そこで、実施例２では、ＶＣＭコイル２２０の温度があらかじめ定められた限界温度を超えたとき、ＶＣＭコイル２２０に向けて気流を案内するために気流案内部２６０が制御部１００によって制御されない場合を説明する。まず、図６を用いて、本実施例２に係る気流案内部２６０の詳細な構成について説明する。なお、図６において、図１と同じ部分には同じ符号を付し、詳しい説明を省略する。また、同図に示す気流案内部２６０は、ＶＣＭコイル２２０に向かう気流を遮断する状態（通常状態）を示している。
【００６４】
同図に示すように、気流案内部２６０は、ネジ２６２と、板状部２６５と、バイメタル２６６と、磁石２６７と、を備えている。
【００６５】
板状部２６５は、磁気ディスク２５０の回転によって生じる気流１０の磁気ディスク２５０より下流側に配設されたＶＣＭコイル２２０に向けて気流１０を案内、または、ＶＣＭコイル２２０に気流１０を直接向かわないように気流１０を遮断する。例えば、板状部２６５は、ＶＣＭコイル２２０が配設された位置への気流１０を遮断するために先端部が湾曲し、磁石２６７によって引き付けられている。また、板状部２６５の他方の端部は、バイメタル２６６に繋がっている。
【００６６】
バイメタル２６６は、ネジ２６２によって固定され、板状部２６５を回転させる部分である。バイメタル２６６は、熱膨張率が互いに異なる２枚の金属部材を備え、貼り合わせて構成されている。そして、熱膨張率の高い金属部材は、熱膨張率の低い金属部材よりもＶＣＭコイル２２０側にして熱膨張率の低い金属部材と対向するように貼り合わされている。また、熱膨張率が互いに異なる２枚の金属部材の端部は、どちらか一方またはどちらともと板状部２６５の端部と連結している。具体的には、バイメタル２６６は、ＶＣＭコイル２２０の温度が上昇するにつれて、熱膨張率が低い金属部材の方向に湾曲していく。このとき、バイメタル２６６の湾曲に伴い、板状部２６５は、磁石２６７を離れて、ＶＣＭコイル２２０から離間する方向に移動していく。この結果、板状部２６５は、ＶＣＭコイル２２０に向けて気流１０を案内する。なお、バイメタル２６６は、ＶＣＭコイル２２０の温度が下がるにつれて、元の形に復元していき、磁石２６７に引き付けられて停止する。この結果、板状部２６５は、ＶＣＭコイル２２０に向かう気流１０を遮断する。
【００６７】
次に、図７を参照して、気流案内部２６０がＶＣＭコイル２２０に向かう気流を案内する動作について説明する。なお、図７において、図６と同じ部分には同じ符号を付し、重複する説明を省略する。
【００６８】
まず、気流案内部２６０の板状部２６５は、ＶＣＭコイル２２０の温度が限界温度を下回っているときは、ＶＣＭコイル２２０に向かう気流を遮断する位置に保持される。バイメタル２６６は、ＶＣＭコイル２２０の温度が上昇するにつれて、熱膨張率が低い金属部材の方向に、すなわち、ＶＣＭコイル２２０から離間する方向に湾曲していく。そして、ＶＣＭコイル２２０の温度が限界温度を超えたとき、板状部２６５は、磁石２６７を離れて、バイメタル２６６の湾曲に伴って、ＶＣＭコイル２２０から離間する方向に移動する。これにより、板状部２６５は、ＶＣＭコイル２２０に向かう気流１１を案内する位置に保持され、ＶＣＭコイル２２０に向かう気流１１を案内する。その結果、案内された気流１１が、ＶＣＭコイル２２０に当たることとなる。
【００６９】
このようにして、気流案内部２６０は、磁気ディスク２５０の回転によって生じる気流１１を利用して、ＶＣＭコイル２２０に向けて気流１１を案内するため、限界温度を超えたＶＣＭコイル２２０を冷却することができる。また、気流案内部２６０は、バイメタル２６６の性質を利用してＶＣＭコイル２２０に向けて気流１１を案内することができるため、気流案内部２６０は他の制御装置によって制御の必要がないこととなり、装置構成を簡易にすることができる。
【００７０】
以上のように本実施例２によれば、磁気ディスク装置１は、回転によって気流１１を生じさせる磁気ディスク２５０と、磁気ディスク２５０よりも気流１１の下流側に配設され、磁気ディスク２５０に対する情報の記録または再生を行うヘッド２４０に駆動力を与えるＶＣＭコイル２２０と、ＶＣＭコイル２２０に向かう気流を遮断する板状部２６５と、熱膨張率が高い金属部材を熱膨張率が低い金属部材よりもＶＣＭコイル２２０側にして対向するように貼り付けられたバイメタル２６６と、を備える。そして、板状部２６５は、一端が、熱膨張率が高い金属部材または熱膨張率が低い金属部材の端部に連結している。
【００７１】
かかる構成によれば、磁気ディスク装置１は、バイメタル２６６の性質を利用して、ＶＣＭコイル２２０の温度が高くなると熱膨張率が低いＶＣＭコイル２２０から離間する方向に板状部２６５を移動することができ、ＶＣＭコイル２２０に向けて気流１１を案内することができるため、他に制御装置を設置する必要がないこととなり、装置構成を簡易にすることができる。
【００７２】
なお、磁気ディスク装置１の制御部１００にて行われる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されても良い。また、磁気ディスク装置１は、磁気ディスク装置だけでなく、光ディスクや光磁気ディスク等の他のメディアを使用したディスク装置等、同様の構成を有する記録媒体駆動装置に適用可能である。
【００７３】
以上の実施例にかかる実施形態に関し、さらに以下の付記を開示する。
【００７４】
（付記１）回転する記録媒体に対する情報の記録または再生を行うヘッドの移動を制御する制御部と、
前記制御部の温度があらかじめ定められた制限値を超えたとき、前記記録媒体の回転によって生じた気流を前記制御部に向けて案内する気流案内部と、
を備えることを特徴とする記録媒体駆動装置。
【００７５】
（付記２）回転によって気流を生じさせて情報を記録する記録媒体よりも前記気流の下流側に配設され、前記記録媒体に対する情報の記録または再生を行うヘッドに駆動力を与える駆動コイルと、
前記駆動コイルに向かう気流を遮断する板状部と、
前記駆動コイルの温度があらかじめ定められた制限値を超えたとき、前記駆動コイルに向かう気流を遮断しない位置に前記板状部を誘導する誘導部と、を備えることを特徴とする記録媒体駆動装置。
【００７６】
（付記３）前記誘導部は、
前記駆動コイルの温度を監視する温度監視部と、
前記板状部を挟んで前記駆動コイルの反対側に配置されたコイルと、
前記温度監視部によって監視された温度があらかじめ定められた制限値を超えているとき、
前記コイルに電流を印加する電流印加部と、
前記電流印加部によって前記コイルに電流が印加されたとき、前記板状部を前記コイルの方向に回転させる回転部と、
を含むことを特徴とする付記２に記載の記録媒体駆動装置。
【００７７】
（付記４）前記誘導部は、
前記駆動コイルの温度があらかじめ定められた制限値を超え、且つ、前記ヘッドが前記記録媒体に対して情報を記録していないとき、前記駆動コイルに向かう気流を遮断しない位置に前記板状部を誘導することを特徴とする付記２に記載の記録媒体駆動装置。
【００７８】
（付記５）前記誘導部は、
第１の金属板と、
前記第１の金属板よりも熱膨張率が高い金属板であって前記第１の金属板よりも前記駆動コイル側に前記第１の金属板と対向するように貼り付けられた第２の金属板と、を含み、
前記板状部は、
一端が第１の金属板または第２の金属板の端部に連結することを特徴とする付記２に記載の記録媒体駆動装置。
【図面の簡単な説明】
【００７９】
【図１】実施例１に係る磁気ディスク装置の全体構成を示す機能ブロック図である。
【図２】実施例１に係る気流案内部を示す図（通常状態）である。
【図３】実施例１に係る気流案内部を示す図（ＶＣＭコイルの温度が高温時）である。
【図４】実施例１に係る磁気ディスク装置の処理を示すフローチャートである。
【図５】実施例１に係る磁気ディスク装置の処理を示すフローチャート（変形例）である。
【図６】実施例２に係る気流案内部を示す図（通常状態）である。
【図７】実施例２に係る気流案内部を示す図（ＶＣＭコイルの温度が高温時）である。
【符号の説明】
【００８０】
１  磁気ディスク装置
２  ホストコンピュータ
１００  制御部
１１０  ヘッド制御部
１２０  温度監視部
１３０  気流遮断指示部
１４０  気流案内指示部
１５０  読み書き判定部
２１０  温度検知部
２２０  ＶＣＭコイル
２３０  アクチュエータ
２４０  ヘッド
２５０  磁気ディスク
２６０  気流案内部
【図１】
2010040084.tif 000003
【図２】
2010040084.tif 000004
【図３】
2010040084.tif 000005
【図４】
2010040084.tif 000006
【図５】
2010040084.tif 000007
【図６】
2010040084.tif 000008
【図７】
2010040084.tif 000009